(57)【要約】【課題】穀物によって検出手段が損傷することを抑制する。【解決手段】穀物乾燥装置１０では、穀物Ｋが案内路２６に案内されて乾燥路３６を流下されると共に、熱風が乾燥路３６へ送風されることで、乾燥路３６において穀物Ｋが乾燥される。ここで、案内路２６を構成する上三角風胴２４Ａ内に穀温センサ８６（感知部）が設けられており、穀温センサ８６が上三角風胴２４Ａの側壁を介して穀物Ｋの温度を検出する。このため、案内路２６を流下する穀物Ｋによって穀温センサ８６が損傷することを上三角風胴２４Ａによって防止できる。【選択図】図１
2014153004.tif 000002
【特許請求の範囲】
【請求項１】
穀物が流動される流動経路が設けられた装置本体と、
前記流動経路に設けられ、穀物が乾燥される乾燥路と、
前記流動経路における前記乾燥路の穀物流動上流側又は穀物流動下流側に設けられ、穀物の流動を案内する案内体と、
前記案内体の前記流動経路とは反対側に設けられ、前記案内体を介して穀物の温度を検出する検出手段と、
を備えた穀物乾燥装置。
【請求項２】
前記検出手段に設けられ、前記案内体に接触されることで前記検出手段が前記案内体の温度を検出する検出部を備えた請求項１記載の穀物乾燥装置。
【請求項３】
前記検出部に弾性力を作用させることで前記検出部が前記案内体に接触される弾性部材を備えた請求項２記載の穀物乾燥装置。
【請求項４】
前記案内体の前記流動経路とは反対側に前記検出手段が設けられることで前記検出部が前記案内体側への移動力を作用されて前記案内体に接触される請求項２又は請求項３記載の穀物乾燥装置。
【請求項５】
前記装置本体外と前記案内体の前記流動経路とは反対側とを連通させて前記検出手段を前記装置本体外から前記案内体の前記流動経路とは反対側に挿入可能にした請求項１〜請求項４の何れか１項記載の穀物乾燥装置。
【発明の詳細な説明】
【技術分野】
【０００１】
本発明は、穀物が乾燥される穀物乾燥装置に関する。
【背景技術】
【０００２】
下記特許文献１に記載の穀粒乾燥機では、貯留室の天井板から張込量検出装置が吊り下げられると共に、張込量検出装置に穀温センサが設けられており、穀温センサは穀粒の温度を検出する。
【０００３】
しかしながら、この穀粒乾燥機では、穀温センサが張込量検出装置から突出されて貯留室に露出されている。このため、貯留室を穀粒が流下することで、穀粒によって穀温センサが損傷する可能性がある。
【先行技術文献】
【特許文献】
【０００４】
【特許文献１】特開平７−２９４１２５号公報
【発明の概要】
【発明が解決しようとする課題】
【０００５】
本発明は、上記事実を考慮し、穀物によって検出手段が損傷することを抑制できる穀物乾燥装置を得ることが目的である。
【課題を解決するための手段】
【０００６】
請求項１に記載の穀物乾燥装置は、穀物が流動される流動経路が設けられた装置本体と、前記流動経路に設けられ、穀物が乾燥される乾燥路と、前記流動経路における前記乾燥路の穀物流動上流側又は穀物流動下流側に設けられ、穀物の流動を案内する案内体と、前記案内体の前記流動経路とは反対側に設けられ、前記案内体を介して穀物の温度を検出する検出手段と、を備えている。
【０００７】
請求項２に記載の穀物乾燥装置は、請求項１に記載の穀物乾燥装置において、前記検出手段に設けられ、前記案内体に接触されることで前記検出手段が前記案内体の温度を検出する検出部を備えている。
【０００８】
請求項３に記載の穀物乾燥装置は、請求項２に記載の穀物乾燥装置において、前記検出部に弾性力を作用させることで前記検出部が前記案内体に接触される弾性部材を備えている。
【０００９】
請求項４に記載の穀物乾燥装置は、請求項２又は請求項３に記載の穀物乾燥装置において、前記案内体の前記流動経路とは反対側に前記検出手段が設けられることで前記検出部が前記案内体側への移動力を作用されて前記案内体に接触される。
【００１０】
請求項５に記載の穀物乾燥装置は、請求項１〜請求項４の何れか１項の記載の穀物乾燥装置において、前記装置本体外と前記案内体の前記流動経路とは反対側とを連通させて前記検出手段を前記装置本体外から前記案内体の前記流動経路とは反対側に挿入可能にしている。
【発明の効果】
【００１１】
請求項１に記載の穀物乾燥装置では、装置本体に流動経路が設けられており、穀物が流動経路を流動される。さらに、流動経路に乾燥路が設けられており、乾燥路において穀物が乾燥される。また、流動経路における乾燥路の穀物流動上流側又は穀物流動下流側に案内体が設けられており、案内体は穀物の流動を案内する。
【００１２】
ここで、案内体の流動経路とは反対側に検出手段が設けられており、検出手段が案内体を介して穀物の温度を検出する。このため、穀物によって検出手段が損傷することを案内体によって抑制できる。
【００１３】
請求項２に記載の穀物乾燥装置では、検出手段に検出部が設けられており、案内体に検出部が接触されることで、検出手段が案内体の温度を検出する。このため、検出手段が案内体を介して穀物の温度を高精度に検出できる。
【００１４】
請求項３に記載の穀物乾燥装置では、弾性部材が検出部に弾性力を作用させることで、検出部が案内体に接触される。このため、検出部を案内体に適切に接触させることができ、検出手段が、案内体の温度を適切に検出できて、案内体を介して穀物の温度を適切に検出できる。
【００１５】
請求項４に記載の穀物乾燥装置では、案内体の流動経路とは反対側に検出手段が設けられることで、検出部が、案内体側への移動力を作用されて、案内体に接触される。このため、検出部を案内体に適切に接触させることができ、検出手段が、案内体の温度を適切に検出できて、案内体を介して穀物の温度を適切に検出できる。
【００１６】
請求項５に記載の穀物乾燥装置では、装置本体外と案内体の流動経路とは反対側とを連通させて、検出手段を装置本体外から案内体の流動経路とは反対側に挿入可能にしている。このため、案内体の流動経路とは反対側に検出手段を容易に設けることができる。
【図面の簡単な説明】
【００１７】
【図１】本発明の実施形態に係る穀物乾燥装置を示す前方から見た断面図である。
【図２】本発明の実施形態に係る穀物乾燥装置を示す左方から見た断面図である。
【図３】本発明の実施形態に係る穀物乾燥装置を示す前斜め右方から見た斜視図である。
【図４】本発明の実施形態に係る穀物乾燥装置の下側部分を示す前斜め左方から見た分解斜視図である。
【図５】本発明の実施形態に係る穀物乾燥装置における穀温センサの取付状況を示す前斜め左方から見た分解斜視図である。
【図６】本発明の実施形態に係る穀物乾燥装置における穀温センサを示す斜視図である。
【図７】本発明の実施形態に係る穀物乾燥装置の変形例を示す前方から見た断面図である。
【発明を実施するための形態】
【００１８】
図１には、本発明の実施形態に係る循環式の穀物乾燥装置１０が前方から見た断面図にて示されており、図２には、穀物乾燥装置１０が左方から見た断面図にて示されている。さらに、図３には、穀物乾燥装置１０が前斜め右方から見た斜視図にて示されており、図４には、穀物乾燥装置１０の下側部分が前斜め左方から見た分解斜視図にて示されている。なお、図面では、穀物乾燥装置１０の前方を矢印ＦＲで示し、穀物乾燥装置１０の右方を矢印ＲＨで示し、穀物乾燥装置１０の上方を矢印ＵＰで示す。
【００１９】
図１〜図４に示す如く、本実施形態に係る穀物乾燥装置１０は、装置本体としての機体１２を備えており、機体１２は、上下に高く前後に長い直方体箱状とされている。
【００２０】
機体１２内の上側部分は、流動経路を構成する収容室としての穀槽１４とされており、穀槽１４内には、穀物Ｋ（例えば籾）が貯留（収容）される。
【００２１】
機体１２内の下側部分には、一対の排風路隔壁１６が設けられており、排風路隔壁１６は、通気性を有している。排風路隔壁１６は、機体１２の前面板と後面板との間に架け渡されると共に、機体１２の側面板から機体１２の左右方向中央へ向けて下方に傾斜しており、一対の排風路隔壁１６は、漏斗状とされている。
【００２２】
一対の排風路隔壁１６の内側には、風胴板１８が設けられており、風胴板１８は、略菱形筒状とされると共に、上端部１８Ａ以外の全体が通気性を有している。風胴板１８は、機体１２の前面板と後面板との間に架け渡されると共に、風胴板１８の下側部分は、対向する排風路隔壁１６の下側部分に平行とされており、風胴板１８の内部は、送風路２０とされている。機体１２の前面板には、送風路２０に対応して、矩形状の外気入口２２が形成されており、外気入口２２は、送風路２０に連通している。
【００２３】
風胴板１８の上側部分と各排風路隔壁１６の上側部分との間には、金属製（例えば鉄製）の導風路隔壁２４が設けられており、導風路隔壁２４は、略菱形筒状とされると共に、機体１２の前面板と後面板との間に架け渡されている。
【００２４】
導風路隔壁２４の上側部分は、案内体としての断面三角形状の上三角風胴２４Ａにされており、上三角風胴２４Ａは、通気性を有しないと共に、下面が開放されている。上三角風胴２４Ａは、風胴板１８の上端部１８Ａ及び排風路隔壁１６の上端部と上下方向位置が一致されており、上三角風胴２４Ａと排風路隔壁１６の上端部との間、及び、上三角風胴２４Ａと風胴板１８の上端部１８Ａとの間は、流動経路を構成する断面逆三角形状の案内路２６にされている。穀槽１４内に貯留された穀物Ｋは、案内路２６（上三角風胴２４Ａの側壁外面、風胴板１８の上端部１８Ａ外面及び排風路隔壁１６の上端部上側面）に案内されて（流れを調えられて）、流下（流動）する。
【００２５】
図５に詳細に示す如く、機体１２の前面板及び後面板には、各上三角風胴２４Ａに対応して、連通孔としての三角形状の覗き窓２８が形成されており、覗き窓２８は、機体１２外と上三角風胴２４Ａ内とを連通している。覗き窓２８の周縁は、上三角風胴２４Ａの内側に配置されており、機体１２の前面板及び後面板の上三角風胴２４Ａより内側の部分は、取付部１２Ａにされている。
【００２６】
機体１２の前面板及び後面板には、各覗き窓２８に対応して、蓋部材としての三角形板状の風胴蓋３０が所定数（本実施形態では３個）のボルト３２によって取り付けられており、風胴蓋３０は、覗き窓２８を被覆している。風胴蓋３０の材質は、透明材又は半透明材にされており、導風路隔壁２４内は、機体１２外から風胴蓋３０及び覗き窓２８を介して視認可能にされている。
【００２７】
右側の導風路隔壁２４の上三角風胴２４Ａ内（上三角風胴２４Ａ側壁の案内路２６とは反対側）には、検出手段としての穀温センサ８６が設けられている。
【００２８】
図６に詳細に示す如く、穀温センサ８６には、取付部材としての鉄製で長尺直方体箱状のケース８８が設けられており、ケース８８の上側面は、開放されている。ケース８８の前側壁は、ケース８８上側へ向かうに従いケース８８後側へ向かう方向に僅かに（例えば３°）傾斜されると共に、ケース８８の前側壁には、所定数（本実施形態では２個）のプロボルト８８Ａが固定されており、プロボルト８８Ａは、ケース８８の前側壁から前側かつケース８８の前側壁に対し垂直に突出されて、ケース８８前側へ向かうに従いケース８８上側へ向かう方向に僅かに（例えば３°）傾斜されている。プロボルト８８Ａは、機体１２前面板の取付部１２Ａを貫通されると共に、前側からナット９０が螺合されており、ケース８８の前側壁とナット９０との間に取付部１２Ａが挟まれることで、ケース８８が機体１２の前面板に取り付けられて、穀温センサ８６が上三角風胴２４Ａ内に取り付けられている。また、プロボルト８８Ａにナット９０が螺合されて、ケース８８の前側壁が取付部１２Ａに面接触される方向かつケース８８の上側縁が上三角風胴２４Ａの側壁（本実施形態では右側壁）に接近される方向への回動力（移動力）がケース８８に作用されることで、ケース８８の上側縁が上三角風胴２４Ａの側壁（本実施形態では右側壁）内面に接触されて、ケース８８内が上三角風胴２４Ａの側壁内面に対向されている。
【００２９】
ケース８８の後端部内には、弾性部材及び被覆部材としての略直方体状の発泡スチロール９２が接着固定されており、発泡スチロール９２は、断熱性及び弾性を有している。発泡スチロール９２の上側面は、上三角風胴２４Ａの側壁内面に面接触されており、発泡スチロール９２は、弾性収縮されて、上側面がケース８８の上側面と面一にされている。発泡スチロール９２の上側面には、断面略半円状の凹部９４が形成されており、凹部９４は、前側に開放されている。
【００３０】
ケース８８内には、センサ本体９６（サーミスタ）が設けられており、センサ本体９６の先端には、検出部としての円柱状の感知部９６Ａが設けられている。感知部９６Ａは、発泡スチロール９２の凹部９４に収容されており、感知部９６Ａは、発泡スチロール９２の凹部９４周面に押圧されて、発泡スチロール９２の弾性力によって上三角風胴２４Ａの側壁内面に接触されている。このため、センサ本体９６が感知部９６Ａによって上三角風胴２４Ａ内（特に上三角風胴２４Ａの側壁内面）の温度を検出可能にされると共に、感知部９６Ａが先端面（後面）と上三角風胴２４Ａの側壁内面への接触部分を除く周面とを発泡スチロール９２によって被覆されている。
【００３１】
感知部９６Ａの基端部（前端部）には、コード９６Ｂが電気的に接続されており、コード９６Ｂは、発泡スチロール９２の凹部９４から前側に延出されている。コード９６Ｂは、ケース８８の下側壁（底壁）を貫通されて、ケース８８の下側に延出されており、コード９６Ｂは、機体１２の前面板の覗き窓２８及び風胴蓋３０を貫通されて、機体１２の前側に延出されている。また、コード９６Ｂは、ケース８８内において、可撓性を有する所定数（本実施形態では２個）の結束バンド９８によってケース８８の下側壁に固定されている。
【００３２】
図１及び図４に示す如く、導風路隔壁２４の下側部分は、断面逆三角形状の下三角風胴２４Ｂにされており、下三角風胴２４Ｂは、通気性を有して内部が導風路３４とされると共に、上面が開放されている。下三角風胴２４Ｂは、対向する排風路隔壁１６の上側部分に平行とされると共に、対向する風胴板１８の上側部分に平行とされている。
【００３３】
風胴板１８の左方及び右方には、風胴板１８と下三角風胴２４Ｂとの間、下三角風胴２４Ｂと排風路隔壁１６との間、及び、風胴板１８と排風路隔壁１６との間において、流動経路を構成する乾燥路３６が形成されており、乾燥路３６には、案内路２６に案内されて流下した穀物Ｋが流下（流動）する。
【００３４】
一対の乾燥路３６の下端間には、流動手段（移動手段）を構成する繰出手段としての円筒状のシャッタドラム３８が設けられており、シャッタドラム３８は、乾燥路３６の下端を略閉塞すると共に、機体１２の前面板と後面板との間に架け渡されて軸心回りに回転可能とされている。シャッタドラム３８の外周には、軸方向に長尺とされた矩形状のスリット４０が一対形成されており、一方のスリット４０は、シャッタドラム３８外周の前側に配置されると共に、他方のスリット４０は、シャッタドラム３８外周の後側かつ一方のスリット４０の周方向反対側に配置されている。
【００３５】
シャッタドラム３８内は、流動経路を構成しており、シャッタドラム３８が回転してスリット４０が乾燥路３６の下端に対面することで、乾燥路３６内の穀物Ｋがスリット４０を経てシャッタドラム３８内に流入（流動）し、更に、シャッタドラム３８が回転してスリット４０が下向きとなることで、シャッタドラム３８内に流入した穀物Ｋが下方へ排出（流動）される。
【００３６】
各排風路隔壁１６の下方には、張込流し板４２が設けられており、張込流し板４２は、機体１２の前面板と後面板との間に架け渡されている。一対の張込流し板４２は、それぞれ機体１２の側面板から機体１２の左右方向中央へ向けて下方に傾斜されて、漏斗状とされている。また、張込流し板４２と排風路隔壁１６との間は、排風路４４とされている。
【００３７】
機体１２の各側面板の下部には、張込ホッパ４６が開閉可能に設けられており、張込ホッパ４６が開放されることで、機体１２内へ穀物Ｋを張り込み（供給）可能とされている。張込流し板４２の上側は、流動経路を構成しており、シャッタドラム３８から排出された穀物Ｋ又は張込ホッパ４６から張り込まれた穀物Ｋは、張込流し板４２に案内されて、一対の張込流し板４２の下端間に流下（流動）する。
【００３８】
一対の張込流し板４２の下端間には、流動手段を構成する下スクリューコンベヤ４８が設けられており、下スクリューコンベヤ４８は、後端が機体１２の後面板に固定されると共に、前端が機体１２の前面から前方に突出している。下スクリューコンベヤ４８は、長尺樋状の下搬送樋５０を有しており、機体１２外における下搬送樋５０の上面及び前面は、閉塞されている。機体１２内における下搬送樋５０は、排風路４４に連通されており、下搬送樋５０内には、一対の張込流し板４２の下端間に到達した穀物Ｋが流下（流動）する。下搬送樋５０内は、下スクリュー５２が設けられて、流動経路を構成しており、下搬送樋５０内に流下した穀物Ｋが下スクリュー５２によって前方へ搬送（流動）される。
【００３９】
機体１２の右側部分の前方には、流動手段を構成する昇降機５４が立設されており、昇降機５４の上部は、機体１２の上面板よりも上方へ突出している。昇降機５４内には、無端ベルト５６が配置されており、無端ベルト５６には、バケット５８が一定間隔で取り付けられている。昇降機５４内の下端は、下搬送樋５０内の前端に連通されており、下スクリューコンベヤ４８（下搬送樋５０内の前端）から排出されて昇降機５４内の下端に堆積した穀物Ｋが、無端ベルト５６の回転によりバケット５８によって昇降機５４内の上端まで持上搬送される。
【００４０】
機体１２の上端には、流動手段を構成する上スクリューコンベヤ６０が設けられており、上スクリューコンベヤ６０は、後端が機体１２の上面板中央直下に配置されると共に、前端が機体１２の前面板から突出している。上スクリューコンベヤ６０は、長尺樋状の上搬送樋６２を有しており、上搬送樋６２の後端下面は開放されている。上搬送樋６２内の前端は、昇降機５４内の上端に連通されており、昇降機５４内の上端まで搬送された穀物Ｋが上搬送樋６２内の前端に流下する。上搬送樋６２内には、上スクリュー６４が設けられて、流動経路を構成しており、上搬送樋６２内の前端に流下した穀物Ｋが上スクリュー６４によって後方へ搬送（流動）される。また、上搬送樋６２内の前端は、排出管６６に連通可能とされており、上搬送樋６２内の前端が排出管６６に連通された際には、上搬送樋６２内の前端に流下した穀物Ｋが排出管６６を経て穀物乾燥装置１０から排出される。
【００４１】
上スクリューコンベヤ６０後端の下方には、流動手段を構成する円盤状の均分機６８が回転可能に設けられており、上スクリューコンベヤ６０の後端（上搬送樋６２内の後端）に搬送された穀物Ｋが、回転される均分機６８の上面に流下することで、遠心力によって穀槽１４内へ均等に放散分配される。
【００４２】
機体１２の前面下部には、左側部分において、直方体箱状の火炉ケース７０が設けられており、火炉ケース７０の前面板には、スリット状の外気導入口７２が複数形成されている。火炉ケース７０の後面板は、部分的に開放されており、火炉ケース７０内は、外気入口２２に連通されている。また、火炉ケース７０下面板の左側部分は、開放されている。
【００４３】
機体１２の前面下部には、火炉ケース７０の左側部分の直下において、直方体箱状のバーナケース７４が設けられている。バーナケース７４の上面板は、部分的に開放されており、バーナケース７４内は、火炉ケース７０内に連通されている。また、バーナケース７４内には、熱風生成手段としてのバーナ７６が設けられている。
【００４４】
機体１２の後面下部には、直方体箱状の送風機取付台７８が設けられており、送風機取付台７８内は、上記各排風路４４に連通されている。送風機取付台７８の後面には、送風機８０の前端が取り付けられており、送風機８０の後端には、可撓性を有する排風ダクト８２の一端が取り付けられている。
【００４５】
これにより、送風機８０が駆動されることで、常温の外気（常温風）が、外気導入口７２から火炉ケース７０内及び外気入口２２を経て送風路２０内に吸引流入され、さらに、風胴板１８、乾燥路３６、排風路隔壁１６、排風路４４及び送風機取付台７８内を経て送風機８０内に吸引送風され、かつ、排風ダクト８２を経て排風される。また、乾燥路３６の上部を送風される外気は、下三角風胴２４Ｂ及び導風路３４を通過する。
【００４６】
さらに、外気導入口７２から火炉ケース７０内に導入された外気が、バーナ７６によって外気に比し高温に加熱された熱風（乾燥風）にされて、乾燥路３６へ送風されることで、乾燥路３６内の穀物Ｋが乾燥される。
【００４７】
図３に示す如く、機体１２の前面下部には、火炉ケース７０の直上において、制御手段及び設定手段としての操作盤８４（制御装置及び設定装置）が設けられており、操作盤８４は、穀物乾燥装置１０の各駆動部に電気的に接続されると共に、穀温センサ８６のセンサ本体９６にコード９６Ｂによって電気的に接続されている。操作盤８４には、張込運転スイッチ、乾燥運転スイッチ、排出運転スイッチ及び停止スイッチ等の各種の操作スイッチ（図示省略）が設けられており、操作盤８４の各種の操作スイッチが操作されることで、穀物乾燥装置１０が操作盤８４によって制御（運転及び停止等）される。
【００４８】
次に、本実施形態の作用を説明する。
【００４９】
以上の構成の穀物乾燥装置１０では、操作盤８４の張込運転スイッチを運転操作すると、下スクリューコンベヤ４８、昇降機５４、上スクリューコンベヤ６０及び均分機６８が駆動されて、張込運転され、その後、張込ホッパ４６を開放して、刈り取ってきた穀物Ｋを機体１２内へ張り込む。機体１２内へ張込まれた穀物Ｋは張込流し板４２によって下スクリューコンベヤ４８に案内され、下スクリューコンベヤ４８から昇降機５４、上スクリューコンベヤ６０及び均分機６８を経て、穀槽１４内、案内路２６及び乾燥路３６へ搬送される（貯留される）。また、張込運転は、操作盤８４の停止スイッチの操作により、又は、穀槽１４内、案内路２６及び乾燥路３６へ穀物Ｋが張込限度まで張り込まれた際に自動的に、停止される。
【００５０】
張込運転が終了した後には、操作盤８４の乾燥運転スイッチを運転操作すると、シャッタドラム３８、下スクリューコンベヤ４８、昇降機５４、上スクリューコンベヤ６０、均分機６８及び送風機８０が駆動されると共に、バーナ７６が点火されて、乾燥運転される。
【００５１】
乾燥運転では、シャッタドラム３８、下スクリューコンベヤ４８、昇降機５４、上スクリューコンベヤ６０及び均分機６８の駆動によって、穀槽１４内に貯留された穀物Ｋが、案内路２６、乾燥路３６、シャッタドラム３８、下スクリューコンベヤ４８、昇降機５４、上スクリューコンベヤ６０及び均分機６８を経て穀槽１４に戻されることで、穀物乾燥装置１０内を循環される。
【００５２】
さらに、送風機８０の駆動によって外気導入口７２から火炉ケース７０内に吸引導入された外気からバーナ７６によって熱風が生成され、この熱風が、外気入口２２、送風路２０及び風胴板１８を介して乾燥路３６へ吸引送風されて（乾燥路３６の上部を送風される熱風は導風路隔壁２４の下三角風胴２４Ｂ及び導風路３４を通過される）、乾燥路３６内の穀物Ｋの水分を吸収することで、穀物Ｋが乾燥される。穀物Ｋの水分を吸収した後の熱風は、排風路隔壁１６、排風路４４及び送風機取付台７８内を経て（通過して）送風機８０に吸引送風され、さらに、排風ダクト８２を経て排風される。
【００５３】
乾燥運転は、操作盤８４の停止スイッチの操作により、又は、穀物Ｋが設定水分値に達した際に自動的に、停止される。乾燥運転が停止される際には、必要に応じて、シャッタドラム３８の駆動が停止されると共に下スクリューコンベヤ４８、昇降機５４、上スクリューコンベヤ６０及び均分機６８の駆動が継続されて全ての穀物Ｋが穀槽１４内、案内路２６及び乾燥路３６に貯留される。
【００５４】
例えば乾燥運転が終了した際には、操作盤８４の排出運転スイッチを運転操作すると、シャッタドラム３８、下スクリューコンベヤ４８、昇降機５４、上スクリューコンベヤ６０及び均分機６８が駆動されて、排出運転され、さらに、上搬送樋６２内の前端が排出管６６に連通されることで、穀物Ｋが排出管６６を経て穀物乾燥装置１０から排出される。また、排出運転は、操作盤８４の停止スイッチの操作により、又は、穀物Ｋが穀物乾燥装置１０から完全に排出された際に自動的に、停止される。
【００５５】
ところで、導風路隔壁２４の上三角風胴２４Ａの側壁外面は、機体１２内に配置されるため、上三角風胴２４Ａの側壁外面の温度は、直射日光の影響を受けにくいと共に、機体１２外の外気の短時間での温度変動の影響を受けにくい。さらに、上三角風胴２４Ａの側壁外面は、機体１２内の前後方向（長手方向）全体で穀物Ｋに接触するため、上三角風胴２４Ａの側壁外面の温度と穀物Ｋの温度とは、高い相関関係を持っていて、ほぼ一致する。しかも、上三角風胴２４Ａの側壁の外面の温度と内面の温度とは、ほぼ一致する。このため、上三角風胴２４Ａ内の温度を検出（測定）することで、穀物Ｋの温度を概ね正確に安定して検出できる。
【００５６】
ここで、上三角風胴２４Ａ内に穀温センサ８６（センサ本体９６の感知部９６Ａ）が設けられており、穀温センサ８６が上三角風胴２４Ａ内の温度を検出する。このため、穀温センサ８６が上三角風胴２４Ａの側壁を介して穀物Ｋの温度を概ね正確に安定して検出でき、穀温センサ８６が検出した穀物Ｋの温度に基づき送風機８０及びバーナ７６等を制御可能にできる。さらに、穀温センサ８６が穀物Ｋの案内路２６での流下を阻害することを防止できると共に、案内路２６を流下する穀物Ｋによって穀温センサ８６（特に感知部９６Ａ）が損傷（摩耗や破断）して故障することを上三角風胴２４Ａによって防止できる。
【００５７】
しかも、穀温センサ８６の感知部９６Ａが上三角風胴２４Ａの側壁内面に接触されることで、穀温センサ８６が上三角風胴２４Ａの側壁内面の温度を検出する。このため、穀温センサ８６が上三角風胴２４Ａの側壁を介して穀物Ｋの温度を高精度に検出できる。
【００５８】
また、穀温センサ８６の感知部９６Ａが、発泡スチロール９２の凹部９４に収容されて、発泡スチロール９２の弾性力によって上三角風胴２４Ａの側壁内面に接触されている。このため、感知部９６Ａを上三角風胴２４Ａの側壁内面に適切に接触させることができ、穀温センサ８６が、上三角風胴２４Ａの側壁内面の温度を適切に検出できて、上三角風胴２４Ａの側壁を介して穀物Ｋの温度を適切に検出できる。
【００５９】
しかも、穀温センサ８６が上三角風胴２４Ａ内に取り付けられる際には、ケース８８前側壁のプロボルト８８Ａにナット９０が螺合されることで、ケース８８の前側壁が機体１２前面板の取付部１２Ａに面接触される方向かつケース８８の上側縁が上三角風胴２４Ａの側壁に接近される方向への回動力がケース８８、発泡スチロール９２及び感知部９６Ａに作用されて、感知部９６Ａが上三角風胴２４Ａの側壁内面に接触される。このため、感知部９６Ａを上三角風胴２４Ａの側壁内面に一層適切に接触させることができ、穀温センサ８６が、上三角風胴２４Ａの側壁内面の温度を一層適切に検出できて、上三角風胴２４Ａの側壁を介して穀物Ｋの温度を一層適切に検出できる。
【００６０】
さらに、穀温センサ８６の感知部９６Ａが、先端面と上三角風胴２４Ａへの接触部分を除く周面とを断熱性を有する発泡スチロール９２によって被覆されている。このため、導風路隔壁２４の下三角風胴２４Ｂ内（導風路３４）を通過される熱風の影響を感知部９６Ａが受けることを抑制でき、穀温センサ８６が、上三角風胴２４Ａの側壁内面の温度を一層適切に検出できて、上三角風胴２４Ａの側壁を介して穀物Ｋの温度を一層適切に検出できる。
【００６１】
また、上三角風胴２４Ａ内に穀温センサ８６を取り付ける際には、穀温センサ８６を機体１２外から機体１２前面板の覗き窓２８を介して上三角風胴２４Ａ内に挿入した後に、穀温センサ８６を機体１２前面板の取付部１２Ａに取り付ける。そして、穀温センサ８６のコード９６Ｂを風胴蓋３０に貫通させた状態で、風胴蓋３０を機体１２の前面板に取り付ける。
【００６２】
一方、上三角風胴２４Ａ内から穀温センサ８６を取り外す際には、機体１２の前面板から風胴蓋３０を取り外すと共に、機体１２前面板の取付部１２Ａから穀温センサ８６を取り外した後に、穀温センサ８６を上三角風胴２４Ａ内から覗き窓２８を介して機体１２外に取り出す。
【００６３】
このため、上三角風胴２４Ａ内に穀温センサ８６を容易に取り付けることができると共に、上三角風胴２４Ａ内から穀温センサ８６を容易に取り外すことができる。
【００６４】
また、穀温センサ８６には、安価な鉄製のケース８８及び発泡スチロール９２が設けられるのみである。このため、センサ本体９６の感知部９６Ａを伝熱性が良い高価な金属等で被覆する場合に比し、穀温センサ８６を安価にできる。
【００６５】
なお、本実施形態では、穀温センサ８６を上三角風胴２４Ａ内（案内体の流動経路とは反対側）に設けた。しかしながら、穀温センサ８６を風胴板１８の上端部１８Ａ（案内体）内（風胴板１８上端部１８Ａの案内路２６とは反対側）に設けてもよい。しかも、穀温センサ８６を排風路隔壁１６上端部（案内体）の案内路２６とは反対側に設けてもよく、この場合、排風路隔壁１６の上端部は、通気性を有しないのが好ましい。
【００６６】
また、穀温センサ８６を乾燥路３６の穀物Ｋ流動上流側の上三角風胴２４Ａ内（案内体の流動経路とは反対側）に設けた。しかしながら、例えば図７に示す如く穀温センサ８６を乾燥路３６の穀物Ｋ流動下流側の略筒状の案内体１００内（案内体１００側壁の流動経路とは反対側）に設けてもよく、さらに、穀温センサ８６を風胴板１８の下端部（案内体）内（風胴板１８下端部の流動経路とは反対側）に設けてもよく、しかも、穀温センサ８６を排風路隔壁１６下端部（案内体）の流動経路とは反対側に設けてもよい。この場合、案内体１００の側壁、風胴板１８の下端部及び排風路隔壁１６の下端部は、通気性を有しないのが好ましい。
【００６７】
さらに、穀温センサ８６を乾燥路３６に隣接された上三角風胴２４Ａ内（案内体の流動経路とは反対側）に設けた。しかしながら、穀温センサ８６を乾燥路３６に隣接されない案内体の流動経路とは反対側に設けてもよい。
【符号の説明】
【００６８】
１０    穀物乾燥装置
１２    機体（装置本体）
１４    穀槽（流動経路）
２４Ａ  上三角風胴（案内体）
２６    案内路（流動経路）
３６    乾燥路（流動経路）
３８    シャッタドラム（流動経路）
４２    張込流し板（流動経路）
５０    下搬送樋（流動経路）
６２    上搬送樋（流動経路）
８６    穀温センサ（検出手段）
９２    発泡スチロール（弾性部材）
９６Ａ  感知部（検出部）
１００    案内体
Ｋ    穀物
【図１】
2014153004.tif 000003
【図２】
2014153004.tif 000004
【図３】
2014153004.tif 000005
【図４】
2014153004.tif 000006
【図５】
2014153004.tif 000007
【図６】
2014153004.tif 000008
【図７】
2014153004.tif 000009